(57)【要約】【課題】材料にアクリル樹脂板を用い写真やメモリアルに沿った文章や寄書きをレーザー彫刻して一体化したメモリアルプレートを提供する。【解決手段】合成樹脂からなる透明プレート本体２の裏面に、メモリアルの対象人物等の写真を表示した表示部５とメモリアルのタイトル部６と前記対象人物に対するメッセージ部７および前記対象人物等に関する表彰状や感謝状あるいは寄書きを表示した記載部８をレーザー彫刻し、プレート本体２の下部に取り付けた台座３により立てた状態でプレート本体２の表面側から見られるようにする。【選択図】図１
2005254489.tif 000002
【特許請求の範囲】
【請求項１】
合成樹脂からなる透明または半透明のプレート本体にメモリアルの対象人物等の写真を表示した表示部とメモリアルのタイトル部と前記対称人物に対するメッセージ部および前記対象人物等に関する文章を表示した記載部を備えるとともに、前記プレート本体の下部に台座を取り付けたことを特徴とするメモリアルプレート。
【請求項２】
前記記載部は、感謝状や表彰状の文章あるいは寄書きであることを特徴とする請求項１記載のメモリアルプレート。
【請求項３】
前記表示部、タイトル部、メッセージ部および記載部は、前記プレート本体のプレート裏面にレーザー光により彫刻してなることを特徴とする請求項１記載のメモリアルプレート。
【請求項４】
メモリアルプレートに表示する表示部、タイトル部、メッセージ部および記載部の作成用紙であって、プレート本体に表示する前記対称人物等の写真用のスペースと、メモリアルプレートのタイトル用のスペースと、その人物へのメッセージ用のスペースと、前記人物等に関する寄書きの記載部と、を備えたことを特徴とするメモリアルプレートの作成用紙。
【請求項５】
前記作成用紙は、メモリアルプレートの作成依頼者および作成個数の特定部とを備え、メモリアルプレートの作成依頼者に対する寄書きの注文書であることを特徴とする請求項４記載のメモリアルプレートの作成用紙。
【発明の詳細な説明】
【技術分野】
【０００１】
本発明は、退職記念や祝賀会等における感謝状や表彰状の文章あるいは結婚式等における寄書きとともにそのメモリアル対象人物の写真を表示したメモリアルプレートおよびメモリアルプレートの作成用紙に関する。
【背景技術】
【０００２】
従来、人物等の写真と寄書き等の文章を表示するメモリアルプレートとしては、結婚披露宴や祝賀会において、出席者に祝辞やサイン等を寄書きしてもらう色紙の中央部に透孔を形成し、この透孔に対応させて色紙の裏面側に設けた保持手段に写真を取り付けることで、寄書きと写真を色紙の表面側から見ることができるようにしたものがある（特許文献１参照。）。
【０００３】
【特許文献１】特開２０００−２３８４７２号公報（段落番号０００５）。
【発明の開示】
【発明が解決しようとする課題】
【０００４】
しかしながら、従来のメモリアルプレートは、写真と色紙は別体であるので、時間を経過するにつれて写真と色紙が分離する恐れがあった。さらに、色紙を壁などに掛けておくと経時的に変色し美観を損なうとともに、極端な場合には寄書きの文字等が判読できなくなる恐れがあった。
【０００５】
本発明は、前記問題点に鑑みてなされたもので、材料にアクリル樹脂板を用い写真やメモリアルに沿った文章や寄書きをレーザー彫刻して一体化したメモリアルプレートを提供するとともに、メモリアルプレートの作成を容易にし注文書としても用いることができるメモリアルプレートの作成用紙を提供することを目的とする。
【課題を解決するための手段】
【０００６】
上記目的を達成するために、本発明の請求項１のメモリアルプレートは、合成樹脂からなる透明または半透明のプレート本体にメモリアルの対象人物等の写真を表示した表示部とメモリアルのタイトル部と前記対称人物に対するメッセージ部および前記対象人物等に関する文章を表示した記載部を備えるとともに、前記プレート本体の下部に台座を取り付けたことを特徴とする。
【０００７】
本発明の請求項２のメモリアルプレートは、請求項１の構成において、前記記載部は、感謝状や表彰状の文章あるいは寄書きであることを特徴とする。
【０００８】
本発明の請求項３のメモリアルプレートは、請求項１の構成において、前記表示部、タイトル部、メッセージ部および記載部は、前記プレート本体のプレート裏面にレーザー光により彫刻してなることを特徴とする。
【０００９】
本発明の請求項４のメモリアルプレートの作成用紙は、メモリアルプレートに表示する表示部、タイトル部、メッセージ部および記載部の作成用紙であって、プレート本体に表示する前記対称人物等の写真用のスペースと、メモリアルプレートのタイトル用のスペースと、その人物へのメッセージ用のスペースと、前記人物等に関する寄書きの記載部と、を備えたことを特徴とする。
【００１０】
本発明の請求項５のメモリアルプレートの作成用紙は、請求項４の構成において、メモリアルプレートの作成依頼者および作成個数の特定部とを備え、メモリアルプレートの作成依頼者に対する寄書きの注文書であることを特徴とする。
【発明の効果】
【００１１】
本発明のメモリアルプレートによれば、メモリアルプレートに透明または半透明の合成樹脂板を用い、このプレート本体の裏面にメモリアルの対象人物の写真や、タイトル、メッセージおよび対象人物に関する文章をレーザー彫刻することにより一体化し、台部により立てた状態でプレート本体の表面側から彫刻した写真等を見ることができるので斬新さと美観を創出することが可能となる。また、メモリアルに沿ったメモリアルプレーを得ることができる。
【００１２】
さらに、本発明のメモリアルプレートの作成用紙によれば、メモリアルプレートの表示部、タイトル部、メッセージ部および記載部が区切られて表示されており、メモリアルプレートの作成依頼者が注文書として必要な事項を記載することで、前記依頼者は完成するメモリアルプレートの概要を容易に把握できるとともに、作成者にとっても作成用紙を用いるで誤りなく容易にメモリアルプレートを作成することができる。
【発明を実施するための最良の形態】
【００１３】
メモリアルプレートのプレート本体を透明または半透明の合成樹脂材で形成し、このプレート本体の裏面に彫刻した事項を表面側から見られるようにした。
【実施例１】
【００１４】
本発明の実施例１を図１および図２に基づいて説明する。図１は本実施例のメモリアルプレートを示す正面図、図２は図１の右側面図である。
【００１５】
図１および図２に示すように、メモリアルプレート１は、透明なアクリル樹脂材により板状体のプレート本体２を形成し、このプレート本体２の下面に台座３を取り付け、プレート本体２を立てた状態で置けるようになっている。なお、メモリアルプレート本体２の材料としてはアクリル樹脂材に限らず、その他の透明または半透明の合成樹脂材あるいはガラス材を用いてもよい。
【００１６】
プレート本体２は、略２１０（幅）×１６０（高さ）×１６（厚さ）ｍｍの横長な長方立方体形状に形成され、その表面の上面および左右面の外縁部は４ｍｍ程度４５°方向へ平面状に面取り４されている。プレート本体２の裏面には、メモリアルの対象人物を表示する表示部５が楕円形に形成されるとともに、メモリアルのタイトル部６および対象人物に対するメッセージ部７が前記楕円形の上下の弧に沿って形成されている。また、表示部５等を除く部分には対象人物に対する感謝や表彰等の文章あるいは複数者の個々の思い（寄書き）を表示する記載部８が形成されている。
【００１７】
プレート本体２を形成するアクリル樹脂材はレーザー光による彫刻が可能であり、前記表示部５には対象人物を表示する写真がレーザー彫刻されるとともに、前記タイトル部６やメッセージ部７にはメモリアルのタイトルやメモリアルプレート１を贈る人へのメッセージおよび記載部８にはメモリアルに沿った文章や寄書きがそれぞれレーザー彫刻されている。
【００１８】
レーザー光による彫刻は、レーザー彫刻機を用いることにより形成することができ、工程数が極めて少なく、写真等の複雑な図柄や個人差のある筆跡であっても簡単・迅速かつ明瞭に彫刻することができる。レーザー彫刻機によりプレート本体２に彫刻する際には、図３に示す作成書面１０に従い、メモリアルの内容に沿って、その対象人物の写真、タイトル、メッセージ、記載部８の文章や寄書きを作成し、その作成した書面をスキャナーしてコンピューターに取り込み、この情報に基づくコンピューターからの指令によりレーザー彫刻機がプレート本体２の裏面に鏡像として彫刻し、プレート本体２の表面から見られるようにする。
【００１９】
前記作成書面１０は、メモリアルプレート１の作成依頼者が、メモリアルプレート１に彫刻する写真およびタイトル、メッセージおよび寄書き等の文面を、メモリアルプレート１の作成者に対する寄書きの注文書として機能しており、プレート本体２より大きめな相似形状の第１の枠部１１が印刷されている。第１の枠部１１内には、この枠部１１の略３／４上部中央に中心を有する楕円形からなる第２の枠部１２と、上円弧部を第１の枠部１１により切り欠いた略楕円形からなる第３の枠部１３が印刷されており、第２の枠部１２は第３の枠部１３内で下方に位置している。第２の枠部１２は写真用のスペースであり、その上方および下方には寄書きのタイトルすなわちメモリアルのタイトル部６用のスペース１４およびメモリアル対象人物へのメッセージ部７用のスペース１５が第３の枠部１３により囲まれるとともに、寄書きの記載部８用のスペース１６は第３の枠部１３の外に設けられており、この第３の枠部１３により前記スペース１４，１５に寄書きがされないように区切られている。タイトル部６およびメッセージ部７の文面は、それぞれのスペース１４，１５により１５文字以内となっており、第１の枠部１１の外に設けられているタイトルの記載欄１７およびメッセージの記載欄１８に記載して注文するようになっている。さらに、注文者の特定欄１９すなわち「注文者名」と「注文個数」、注文者の「住所、ＴＥＬ、ＦＡＸ」等の記載欄が設けられている。
【００２０】
本実施例によれば、アクリル樹脂材は透明度が良好で、衝撃に強く、しかもレーザー光による彫刻が容易であり、このアクリル樹脂板からなるメモリアルプレート本体２の裏面に表示部５の写真、タイトル部６およびメッセージ部７および記載部８の文面をレーザー彫刻することにより、台座３により立てた状態でそれぞれを透明なアクリル樹脂材を透してメモリアルプレート２の表面から日常的に見ることができる。
【００２１】
また、メモリアルプレート１の作成依頼者は、作成用紙に記載し、その作成用紙を注文書として用いることで、容易に依頼者の希望通りのメモリアルプレートを得ることができるとともに、作成者は依頼者が希望するメモリアルプレート１を誤りなく作成することができる。
【実施例２】
【００２２】
本発明の実施例２を図４に基づいて説明する。図４は結婚式をメモリアルとするメモリアルプレートを示す正面図である。
【００２３】
本実施例では、メモリアルプレート１のプレート本体２には、表示部５に新郎新婦の写真がレーザー彫刻され、タイトル部６にメモリアルの名称、メッセージ部７に新郎新婦へのメッセージ、記載部８に友人達の寄書きがそれぞれレーザー彫刻されている。
【００２４】
プレート本体２の裏面にレーザー彫刻する文面は、作成書面１０の記載に従って行われる。メモリアルプレート１の作成依頼者は、結婚式に出席する友人達に予め寄せ書きして貰っても良いし、披露宴で寄せ書きして貰ってもよい。
【００２５】
また、本実施例のメモリアルプレート１は結婚式に限らず、種々のメモリアルプレートとして作成することができる。例えば、図５に示すように卒業時のメモリアルプレート１として作成して担任教師等への贈り物、大会出場、例えば図６に示すように野球大会出場時のメモリアルプレート１として作成し監督やコーチへの贈り物としても用いることができる。この際、卒業生、選手等が個々に所持することでそのメモリアルを共有することができる。
【実施例３】
【００２６】
本発明の実施例３を図７に基づいて説明する。図７は退職記念をメモリアルとするメモリアルプレートを示す正面図である。
【００２７】
本実施例では、メモリアルの対象人物の写真を表示する表示部５がプレート本体２の左上部に形成され、メモリアルのタイトル部６は右側に、退職を記念しその業績を称える文章からなる記載部８が略中央に形成され、それぞれプレート本体２の裏面にレーザー彫刻されている。
【００２８】
また、メモリアルプレート１としては、感謝状や表彰状として用いることができ、その場合にはタイトル部６や記載部８の文章を感謝状や表彰状の文面に対応させて作成し、その文面をレーザー彫刻することで作成することができる。
【図面の簡単な説明】
【００２９】
【図１】本発明の実施例１を示す正面図である。
【図２】図１の右側面図である。
【図３】メモリアルプレートにおける寄書き作成書面および注文書である。
【図４】本発明の実施例２を示す正面図である。
【図５】本発明の実施例２の他の例を示す正面図である。
【図６】本発明の実施例２の他の例を示す正面図である。
【図７】本発明の実施例３を示す正面図である。
【符号の説明】
【００３０】
１  メモリアルプレート
２  プレート本体
３  台座
４  面取り
５  表示部
６  タイトル部
７  メッセージ部
８  記載部
１０  作成書面（注文書）
１１  第１の枠部
１２  第２の枠部
１３  第３の枠部
１４  タイトル用のスペース
１５  メッセージ用のスペース
１６  寄書き用のスペース
１７  タイトルの記載欄
１８  メッセージの記載欄
１９  注文者の特定欄
【図１】
2005254489.tif 000003
【図２】
2005254489.tif 000004
【図３】
2005254489.tif 000005
【図４】
2005254489.tif 000006
【図５】
2005254489.tif 000007
【図６】
2005254489.tif 000008
【図７】
2005254489.tif 000009